(57)【要約】【課題】モータ駆動時の騒音および振動による共振現象の低減を図ることができるブラシ付き直流モータを提供する。【解決手段】アマチュアコア５に固定される回転軸８と、アマチュアコアにコイル１０が巻回されて形成されるローターと、回転軸上に固定されている整流子６と、整流子と圧接され、外部電源との電気接続を行うためのブラシ１と、ブラシを固定するブラシホルダー２を保持するエンドブラケット３と有し、上記エンドブラケットの材質に、制振機能が付与されるポリブチレンテレフタレート樹脂材を使用したブラシ付き直流モータとする。【選択図】図１
2007189826.tif 000002
【特許請求の範囲】
【請求項１】
筒状ケースに内包されるアマチュアコアと、
前記アマチュアコアに固定される回転軸と、
前記アマチュアコアにコイルが巻回されて形成されるローターと、
前記回転軸上に固定されている整流子と、
前記整流子と圧接され、外部電源との電気接続を行うためのブラシと、
前記ブラシを固定するブラシホルダーを保持するエンドブラケットと、
を有するブラシ付き直流モータにおいて、
前記エンドブラケットの材質に、制振機能が付与されるポリブチレンテレフタレート樹脂材を使用したことを特徴とするブラシ付き直流モータ。
【発明の詳細な説明】
【技術分野】
【０００１】
本発明は、複写機、プリンター、ファクシミリ機などに用いられるブラシ付き直流モータに関するものである。
【背景技術】
【０００２】
複写機、プリンターおよびファクシミリ機には、回転数３０００から７０００ｒ／ｍｉｎ、出力５Ｗから３０Ｗで使用される高速・高出力のブラシ付き直流モータが具備されている。この種のブラシ付きモータは、例えば特許文献１や特許文献２に示されるように、モータケース側にマグネットを固定し、該モータケースに回転自在に軸支されたモータ軸（回転軸）にアマチュアコアおよび整流子（コミュテータ）が固定される。そして、整流子にブラシを圧接し、アマチュアコアに巻回されたコイル（巻線）に通電する。このときのアマチュアコアと前記マグネットとの間の磁気作用により回転トルクをモータ軸から取り出すように構成されている。
【０００３】
上記モータには、モータ軸に固定される整流子及びブラシ、該ブラシを取り付けるためのホルダー等が固定されるエンドブラケットを有している。このエンドブラケットは、主に鋼板材でプレス成形されるエンドブラケットと、ガラス繊維入りナイロン等の樹脂材料からなる中蓋とからなる。上記のように整流子とブラシを接触通電させ、モータ軸とアマチュアコアの回転運動を発生させた場合、ブラシの挙動およびモータ軸とその軸受けの摩擦音や振動が発生する。それを抑えるために、従来は、ブラシを保持するブラシホルダーにダンパーとしてゴムを貼り付けるなどの手段がとられていた。
【特許文献１】特開２００１−３０９６１５号公報
【特許文献２】特開２００１−３０９６１６号公報
【発明の開示】
【発明が解決しようとする課題】
【０００４】
しかしならが、近年のモータは高速化、高出力化が顕著であり、該モータ内部の整流子とブラシの摺動速度が速くなっている。そのため、従来のダンパーゴムのみでは騒音および振動の低減化に対する効果には限界があった。
【０００５】
（発明の目的）
本発明の目的は、モータ駆動時の騒音および振動による共振現象の低減を図ることのできるブラシ付き直流モータを提供しようとするものである。
【課題を解決するための手段】
【０００６】
上記目的を達成するために，本発明は、筒状ケースに内包されるアマチュアコアと、前記アマチュアコアに固定される回転軸と、前記アマチュアコアにコイルが巻回されて形成されるローターと、前記回転軸上に固定されている整流子と、前記整流子と圧接され、外部電源との電気接続を行うためのブラシと、前記ブラシを固定するブラシホルダーを保持するエンドブラケットとを有するブラシ付き直流モータにおいて、前記エンドブラケットの材質に、制振機能が付与されるポリブチレンテレフタレート樹脂材を使用したブラシ付き直流モータとしている。
【発明の効果】
【０００７】
本発明によれば、モータ駆動時の騒音および振動による共振現象の低減を図ることができるブラシ付き直流モータを提供できるものである。
【発明を実施するための最良の形態】
【０００８】
本発明を実施するための最良の形態は、以下に示す実施例の通りである。
【実施例】
【０００９】
図１は本発明の実施例に係わるブラシ付き直流モータを示す断面図である。同図において、１は不図示の外部電源に電気的に接続されるブラシ、２はブラシ１が固定されるブラシホルダーである。３はエンドブラケットであり、鋼板材よりなる筒状ケースであるモータケース４に固着される。５は電磁鋼材よりなるアマチュアコア、６は上記ブラシ１に圧接される整流子、７はモータケース４に固定されるマグネットである。８はアマチュアコア５および整流子６が固定されるモータ軸である。９はモータ軸８の両端を回転自在に保持するモータ軸受けである。１０はコイルであり、上記アマチュアコア５に巻回され、ローターを構成している。１１は端子板である。
【００１０】
上記構成のモータにおいて、ブラシ１が整流子６に圧接された状態でアマチュアコア５に巻回されたコイル１０に通電すると、該アマチュアコア５とマグネット７との間の磁気作用により回転トルクがモータ軸８から取り出される。
【００１１】
上記モータは、複写機、プリンター、ファクシミリ機などの駆動源として用いられ、例えば回転数３０００から７０００ｒ／ｍｉｎ、出力５Ｗから３０Ｗで使用される高速、高出力のモータとなる。
【００１２】
さて、上記したように、この種のモータは高速化、高出力化が顕著であり、整流子とブラシの摺動速度が速くなっているために、摩擦音および振動が発生していた。この点に鑑み従来では、ダンパーゴムを用いて上記騒音および振動の低減化を図るようにしていたが、その効果には限界があることは既に延べた通りである。
【００１３】
そこで、本実施例では、エンドブラケット３に、特殊材料配合により制振機能を付与したＰＢＴ（ポリブチレンテレフタレート：Polybutylene terephthalate）樹脂材を使用するようにしている。
【００１４】
上記のようにエンドブラケット３に、特殊材料配合により制振機能を付与したＰＢＴ樹脂材を使用したときの、本実施例のモータの騒音レベルの時間波形を示したのが図２である。図３は本実施例のモータの騒音レベルのスペクトル波形を示す図である。また、図４は従来の構造のモータの騒音レベルの時間波形を示す図であり、図５は同じく従来のモータの騒音騒音レベルのスペクトル波形を示す図である。
【００１５】
従来では主にブラシそのものの振動等をゴムのダンピング作用を利用して該ゴム材にて吸収する方法であった。本実施例のモータによれば、上記エンドブラケット５の材料を特殊材料配合により制振機能を付与したＰＢＴ樹脂材にするようにしている。よって、図２〜図５から明らかなように、モータ駆動時に発生するローターのアンバランスによる振動および整流子６とブラシ１の振動により発生する挙動音、および、ローター軸（モータ軸８）と軸受け９による振動等をエンドブラケット５全体で吸収可能となった。さらに、ダンピング効果を発生させて振動を伝わり難くしているので、振動の除去ならびに騒音の低減化を図ることが可能となった。
【００１６】
さらに、従来のようにブラシの挙動およびモータ軸とその軸受けの摩擦音や振動の発生を抑えるための手段（ダンパーゴム）を別部品として備える必要がないため、小型化かつ低コストとすることができる。
【図面の簡単な説明】
【００１７】
【図１】本発明の実施例に係わるブラシ付き直流モータを示す断面図である。
【図２】図１のモータの騒音レベルの時間波形を示す図である。
【図３】図１のモータの騒音レベルのスペクトル波形を示す図である。
【図４】従来のモータの騒音レベルの時間波形を示す図である。
【図５】従来のモータの騒音レベルのスペクトル波形を示す図である。
【符号の説明】
【００１８】
１      ブラシ
２      ブラシホルダー
３      エンドブラケット
４      モータケース（筒状ケース）
５      アマチュアコア
６      整流子
７      マグネット
８      モータ軸
９      モータ軸受け
１０    コイル
１１    端子板
【図１】
2007189826.tif 000003
【図２】
2007189826.tif 000004
【図３】
2007189826.tif 000005
【図４】
2007189826.tif 000006
【図５】
2007189826.tif 000007